(57)【要約】【課題】イレース機能を搭載する場合に、コンパクトかつ低コストな構成でタッチペンを構成することが可能なタッチペンシステム及びタッチペンを提供することを目的とする。【解決手段】本実施の形態のタッチペンシステムは、静電容量型のタッチパネルと、前記タッチパネル上の任意の位置を指示するためのペン先と、所定の導電性パターンが形成されたペン後端部とを有するタッチペンと、前記タッチパネルに対する前記所定の導電性パターンの接触を検出する所定パターン検出手段と、前記所定の導電性パターンを検出した場合に、イレース機能を実行するイレース機能実行手段と、を備えている。【選択図】  図１
2016167239.tif 000002
【特許請求の範囲】
【請求項１】
静電容量型のタッチパネルと、
前記タッチパネル上の任意の位置を指示するためのペン先と、所定の導電性パターンが形成されたペン後端部とを有するタッチペンと、
前記タッチパネルに対する前記所定の導電性パターンの接触を検出する所定パターン検出手段と、
前記所定の導電性パターンを検出した場合に、イレース機能を実行するイレース機能実行手段と、
を備えたことを特徴とするタッチペンシステム。
【請求項２】
前記所定の導電性パターンは、互いに所定の距離だけ離間した複数の導電性パターンであることを特徴とする請求項１に記載のタッチペンシステム。
【請求項３】
前記所定の距離をＬ、前記タッチパネルの電極間の距離をＰとした場合、前記所定の距離Ｌ≧２Ｐであることを特徴とする請求項２に記載のタッチペンシステム。
【請求項４】
前記ペン後端部は、斜面形状の端面を有し、前記所定の導電性パターンは、前記斜面形状の端面に形成されていることを特徴とする請求項１〜請求項３のいずれか１つに記載のタッチペンシステム。
【請求項５】
前記イレース機能実行手段は、前記複数の導電性パターンが所定の間隔を維持した状態で所定距離移動するのを検出した場合に、イレース機能を実行することを特徴とする請求項２又は請求項３に記載のタッチペンシステム。
【請求項６】
静電容量型のタッチパネルで使用されるタッチペンであって、
前記タッチパネル上の任意の位置を指示するためのペン先と、
所定の導電性パターンが形成されたペン後端部と、
を備え、
前記ペン後端部は、所定の導電性パターンが形成されていることを特徴とするタッチペン。
【請求項７】
前記所定の導電性パターンは、互いに所定の距離だけ離間した複数の導電性パターンであることを特徴とする請求項６に記載のタッチペン。
【請求項８】
前記所定の距離をＬ、前記タッチパネルの電極間の距離をＰとした場合、前記所定の距離Ｌ≧２Ｐであることを特徴とする請求項６に記載のタッチペン。
【請求項９】
前記ペン後端部は、斜面形状の端面を有し、前記所定の導電性パターンは、斜面形状の端面に形成されていることを特徴とする請求項６〜請求項８のいずれか１つに記載のタッチペン。
【発明の詳細な説明】
【技術分野】
【０００１】
本発明は、タッチペンシステム及びタッチペンに関する。
【背景技術】
【０００２】
タッチパネルは、携帯型情報機器(タブレット、ノートＰＣ、スマートフォン、携帯電話、ＰＤＡ等)、デジタルオーディオプレーヤー、携帯ゲーム機、カーナビゲーション装置、コピー機、金融機関のＡＴＭ、及び駅や飲食店の自動券売機など多方面に利用されている。このようなタッチパネルの操作は、画像が表示されるディスプレイ表面の所望の位置を、指、タッチペンやスタイラスなどと呼ばれる専用のペン（以下、「タッチペン」と称す。）でタッチ又は押圧することにより行う。
【０００３】
タッチパネルには、抵抗膜方式、表面弾性波方式、赤外線方式、電磁誘導方式、静電容量方式などがある。ここで、静電容量方式のタッチパネルでは、指先あるいはペンと導電膜との間で静電容量の変化を捉えることで、ディスプレイ上の入力位置を検出する。  
【０００４】
かかる静電容量方式のタッチパネルに用いるタッチペンは、パッシブペンとアクティブペンがある。パッシブペンは、一般的に、ペンホルダーと、このペンホルダーの先端に取り付けられた、導電性ゴム等の柔らかい材質のペン先とから主に構成される。
【０００５】
他方、アクティブペンは、主として、ペンホルダーと、このペンホルダーの先端に取り付けられたペン先と、ペン先から電界を発生させる、ペンホルダーの内部に設けられた電気回路とで構成されている。アクティブペンでは、ペン先から電界を発生させるため、タッチパネルでの位置検出精度が比較的よく、ペン先を細くすることができる。
【０００６】
また、近時、イレース機能を備えたタッチペンも提案されている。ここで、タッチペンの後端部にイレース機能を搭載する場合、後端部をアクティブ方式とすると、イレース機能用の電気回路が必要となるため、タッチペンが長くってしまい、また、コストが高くなってしまう。
【先行技術文献】
【特許文献】
【０００７】
【特許文献１】特開平７−２００１３３号公報
【特許文献２】特開２０１３−１８６８６９号公報
【特許文献３】特開２００７−２４９６７０号公報
【発明の概要】
【発明が解決しようとする課題】
【０００８】
本発明は、上記に鑑みてなされたものであり、イレース機能を搭載する場合に、コンパクトかつ低コストな構成でタッチペンを構成することが可能なタッチペンシステム及びタッチペンを提供することを目的とする。
【課題を解決するための手段】
【０００９】
上述した課題を解決し、目的を達成するために、本発明は、静電容量型のタッチパネルと、前記タッチパネル上の任意の位置を指示するためのペン先と、所定の導電性パターンが形成されたペン後端部とを有するタッチペンと、前記タッチパネルに対する前記所定の導電性パターンの接触を検出する所定パターン検出手段と、前記所定の導電性パターンを検出した場合に、イレース機能を実行するイレース機能実行手段と、を備えたことを特徴とする。
【００１０】
また、本発明の好ましい態様によれば、前記所定の導電性パターンは、互いに所定の距離だけ離間した複数の導電性パターンであることが望ましい。
【００１１】
また、本発明の好ましい態様によれば、前記所定の距離をＬ、前記タッチパネルの電極間の距離をＰとした場合、前記所定の距離Ｌ≧２Ｐであることが望ましい。
【００１２】
また、本発明の好ましい態様によれば、前記ペン後端部は、斜面形状の端面を有し、前記所定の導電性パターンは、斜面形状の端面に形成されていることが望ましい。
【００１３】
また、本発明の好ましい態様によれば、前記イレース機能実行手段は、前記複数の導電性パターンが所定の間隔を維持した状態で所定距離移動するのを検出した場合に、イレース機能を実行することが望ましい。
【００１４】
上述した課題を解決し、目的を達成するために、本発明は、静電容量型のタッチパネルで使用されるタッチペンであって、前記タッチパネル上の任意の位置を指示するためのペン先と、所定の導電性パターンが形成されたペン後端部と、を備え、前記ペン後端部には、所定の導電性パターンが形成されていることが望ましい。
【００１５】
また、本発明の好ましい態様によれば、前記所定の導電性パターンは、互いに所定の距離だけ離間した複数の導電性パターンであることが望ましい。
【００１６】
また、本発明の好ましい態様によれば、前記所定の距離をＬ、前記タッチパネルの電極間の距離をＰとした場合、前記所定の距離Ｌ≧２Ｐであることが望ましい。
【００１７】
また、本発明の好ましい態様によれば、前記ペン後端部は、斜面形状の端面を有し、前記所定の導電性パターンは、斜面形状の端面に形成されていることが望ましい。
【発明の効果】
【００１８】
本発明によれば、イレース機能を搭載する場合に、コンパクトかつ低コストな構成でタッチペンを構成することが可能なタッチペンシステム及びタッチペンを提供することが可能になるという効果を奏する。
【図面の簡単な説明】
【００１９】
【図１】図１は、本実施の形態に係るタッチペンシステムの概略構成を示す斜視図である（タッチペンのペン先を使用する状態）。
【図２】図２は、本実施の形態に係るタッチペンシステムの概略構成を示す斜視図である（タッチペンのペン後端部（イレーサ）を使用する状態）。
【図３】図３は、タブレット型コンピュータの概略の断面図である。
【図４】図４は、タッチペンのペン後端部の端面の概略の平面図である。
【図５】図５は、タッチペンの模式的断面図である。
【図６】図６は、タブレット型コンピュータの概略のハードウェア構成例を示す図である。
【図７】図７は、Ｘ電極、Ｙ電極の間隔と、２つの導電性パターン間の距離Ｌとの関係を説明するための図である。
【図８】図８は、Ｘ電極、Ｙ電極の間隔と、２つの導電性パターン間の距離Ｌとの関係を説明するための図である。
【図９】図９は、タッチペンシステムの変形例を説明するための図である。
【図１０】図１０は、タッチペンの変形例を説明するための図である。
【図１１】図１１は、タッチペンの変形例を説明するための図である。
【図１２】図１２は、タッチペンの変形例を説明するための図である。
【発明を実施するための形態】
【００２０】
以下、本発明に係るタッチペンシステム及びタッチペンの実施の形態について説明する。本発明の構成要素は、本明細書の図面に一般に示してあるが、様々な構成で広く多様に配置し設計してもよいことは容易に理解できる。したがって、本発明のタッチペンシステム及びタッチペンの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く、装置、構成、構造についての選択した実施の形態を単に示すものである。当業者は、特定の細目の１つ以上が無くても、又は他の方法、部品、材料でも本発明を実現できることが理解できる。  
【００２１】
図１及び図２は、本実施の形態に係るタッチペンシステムの概略構成を示す斜視図を示しており、図１は、タッチペンのペン先を使用する状態、図２は、タッチペンのペン後端部（イレーサ）を使用する状態を示している。図３は、図１のタブレット型コンピュータ１０の概略の断面図、図４は、タッチペンのペン後端部の端面の概略の平面図を示している。
【００２２】
図１及び図２に示すように、タッチペンシステム１は、タブレット型コンピュータ１０と、タブレット型コンピュータ１０に座標入力とイレースを行うためのタッチペン２０と、を備えている。本実施の形態に係るタッチペンシステム１は、タッチペン２０のアクティブ式のペン先によるペン入力、指による指入力（パッシブ方式）、タッチペン２０のペン後端部によるイレース入力（パッシブ方式）を認識でき、これらを区別可能に構成されている。
【００２３】
図１〜図３に示すように、タブレット型コンピュータ１０は、前面側に、表示部１４と表示部１４上に重畳されたタッチセンサ１３とで構成されるタッチパネル１２が配置されている。タブレット型コンピュータ１０は、略長方体である筐体１１に、タッチパネル１２の表示及び座標検出を制御する回路等の各種電子部品を搭載した基板１５、表示部１４、タッチセンサ１３が収納されている。筐体１１は、例えば合成樹脂や金属で構成することができる。タッチセンサ１２は、筐体１１の額縁と略同一平面上に配置されている。
【００２４】
タッチペン２０は、ペン先がいわゆるアクティブ型のペンとなっており、後端がパッシブ型のイレーサとなっている。タッチペン２０は、ペン本体３０と、ペン本体３０に取り付けられたペン先４０と、ペン本体３０に取り付けられたキャップ形状のペン後端部５０とを備えている。例えば、ペン先４０は金属芯で構成し、その表面をフェールトで形成することができる。タッチペン２０は、ペン先４０で座標入力が可能となっている。
【００２５】
図１、図２，及び図４に示すように、ペン後端部５０は、略円形状の端面５３に２つの導電性のパターン５４ａ、５４ｂが形成されている。２つの導電性のパターン５４ａ、５４ｂは、略円形状を呈しており、互いの中心位置乃至重心位置Ｃから所定距離Ｌ離間している。ペン後端部５０は、ペン本体３０に対して交換可能に形成されている。タッチペン２０のペン後端部５０でイレースが可能となっている。
【００２６】
タッチセンサ１３は、静電容量方式のタッチセンサであり、指示体の多点検出及び面検出が可能となっている。タッチセンサ１３は、タッチペン２０のペン後端部５０により、イレース機能が実行可能に構成されている。タッチセンサ１３は、Ｘ方向及びＹ方向にマトリクス状に複数配列された透明のＸ電極及びＹ電極を備えており、指等の指示体による静電容量の変化、及びタッチペン２０のペン先４０により発生する所定周波数の交流電界による静電容量の変化を検出することで、指又はタッチペン２０等による座標入力が可能となっている。また、タッチセンサ１３は、タッチペン２０のペン後端部５０の端面５３に形成された導電性のパターン５４ａ、５４ｂを検出することで、タッチペン２０のペン後端部５０によりイレース機能が実行可能となっている。
【００２７】
図５は、図１のタッチペン２０の模式断面図を示している。図５に示すように、タッチペン２０のペン本体３０は、中空のシリンダーであるペン本体部２１と、ペン本体部２１に収容される基板２２と、を備えている。ペン本体部２１に、電源スイッチ３１が設けられている。ペン本体部２１は、導電性樹脂などの材料を用いてユーザが手で持って操作するのに好適な大きさ及び形状に形成されている。
【００２８】
基板２２には、ペン先４０を摺動可能に保持するホルダー２３と、バッテリ３２、トランスデューサー３３、コントロールＩＣ３４、圧力検出部３５が搭載されている。ホルダー２３はペン先４０の挿入部４０ａが挿入され、ペン先４０を外向きに付勢するスプリング２３ｂを備えている。ペン先４０は、ホルダー２３に対して交換可能に形成されてもよい。
【００２９】
圧力検出部３５は、ペン先４０がタッチパネル１３などに当接され、その押圧力によってペン先４０がスプリング２３ｂの弾性力に抗して押し込まれた際の圧力を検出して、コントロールＩＣ３４に出力する。なお、圧力検出部３５でペン先４０の押下を検出することとしたが、これに限られるものではなく、他の公知の検出方法を使用してもよい。
【００３０】
バッテリ３２は、例えば、リチウムイオン電池やアルカリイオン電池である。バッテリ３２からコントロールＩＣ３４に電力が供給され、コントロールＩＣ３４は、電圧レベルを調整してトランスデューサー３３及び圧力検出部３５に電圧を供給する。トランスデューサー３３は電圧が供給されると、発振を開始して正弦波信号を生成し、アクティブタッチペンとして用いられる。
【００３１】
トランスデューサー３３は、例えば、電圧制御発振器であり、ペン先４０の金属芯と電気的に接続されている。トランスデューサー３３は、コントロールＩＣ３４により出力される電圧に基づいて正弦波信号（周波数ｆ１，振幅Ａ１）を生成し、正弦波信号をペン先４０の金属芯を通じて送信し、タッチセンサ１３を介して駆動検出部１０５（図６参照）がこれを受信する。
【００３２】
コントロールＩＣ３４は、圧力検出部３５の圧力検出結果に基づいて、ペン先４０の押下を検出した場合には、トランスデューサー３３に出力する電圧を変更し、正弦波信号（周波数ｆ２（但し、ｆ２＞ｆ１），振幅Ａ１）を生成させる。
【００３３】
例えば、タッチペン２０は、圧力検出部３５で圧力が検出された場合にアクティブ状態とし、所定時間使用されない場合に、スリープ状態に移行するように構成してもよい。
【００３４】
他方、ペン後端部５０は、ペン本体部２１に外嵌し、着脱可能に構成されたキャップ部５２と、キャップ部５２の円形状の端面５３に形成された２つの導電性パターン５４ａ、５４ｂとを備えている。キャップ部５２の側面は、例えば導電性樹脂で構成することができ、キャップ部５２の端面５３は、例えば絶縁性材料で構成することができる。図５に示す例では、ペン後端部５０はペン本体部２１に外嵌する例を示したが、ペン後端部５０がペン本体２１に内嵌するように構成してもよい。なお、導電性パターン５４a、５４ｂをタッチパネル１２で検出できるように、例えば、ユーザがペン本体３０を把持した時に、導電性パターン５４ａ、５４ｂと人体を導通可能に構成してもよく、また、導通しなくて、ペン本体部３０にペイントを塗布して、接合容量によって動作可能としてもよい。
【００３５】
図６は、タブレット型コンピュータ１０の概略のハードウェア構成例を示す図である。タブレット型コンピュータ１０は、同図に示すように、メインコントローラ１０２、メモリ１０１、ストレージ１０３、Ｉ／Ｆ１０４、タッチセンサ１３、駆動検出部１０５、表示部１４、及びＶＲＡＭ１０６、電源回路１０７、及び通信デバイス１０８等を備えており、各部はバスを介して直接または間接的に接続されている。
【００３６】
メインコントローラ１０２は、ストレージ１０３に格納されたプログラムに基づいて、タブレット型コンピュータ１０全体の制御を行う。例えば、メインコントローラ１０２は、表示情報をＶＲＡＭ１０６に格納して、ＶＲＡＭ１０６に格納した表示情報を表示部１４に表示させる。また、メインコントローラ１０２は、駆動検出部１０５を介して、タッチセンサ１３の動作を制御する。
【００３７】
メモリ１０３は、キャッシュメモリやＲＡＭで構成されており、メインコントローラ１０２の実行プログラムの読み込み領域として、実行プログラムの処理データを書き込む作業領域として利用される書き込み可能メモリである。
【００３８】
ストレージ１０３は、例えば、ＳＳＤ等の不揮発性メモリで構成することができ、メインコントローラ１０２が実行するためのプログラムを記憶する機能を有する。
【００３９】
ＶＲＡＭ１０６は、表示情報を格納するためのビットマップメモリである。表示部１４は、例えば、ＬＣＤ、有機ＥＬ等で構成されており、ＶＲＡＭ１０６に描画された表示情報を表示する。Ｉ／Ｆ１０４は、ＵＳＢ機器やＢｌｕｅ  ｔｏｏｔｈ（登録商標）機器を接続するための有線／無線のインターフェイスである。
【００４０】
通信デバイス１０８は、メインコントローラ１０２の制御に従って、ネットワークを介してデータの送受信を行うためのものである。
【００４１】
電源回路１０７は、ＡＣアダプタ、インテリジェント電池、インテリジェント電池を充電するための充電器、およびＤＣ／ＤＣコンバータ等を備えており、メインコントローラ１０２の制御に従って、各部に電力を供給する。
【００４２】
タッチセンサ１３は、ユーザが入力操作を行うためのユーザインターフェィスであり、ユーザが、表示部１４の画面に表示される各種メニュー、アイコン、ボタン、およびキーボード等の画面オブジェクトを選択して入力操作を行ったり、テキストの入力操作や、スクロールやスワイプ等の画面操作を行うためのものである。タッチセンサ１３は、ＩＴＯで構成されている、Ｘ方向及びＹ方向にマトリクス状に複数配列された透明のＸ電極Ｘ１，Ｘ２，．．．，Ｘｎ及びＹ電極Ｙ１，Ｙ２，．．．，Ｙｎを備えている。
【００４３】
駆動検出部１０５は、タッチセンサ１０３を駆動するためのドライブ回路やタッチ位置を検出するための検出回路を備え、メインコントローラ１０２の制御に従って、タッチセンサ１２の動作をコントールする。駆動検出部１０５は、タッチセンサ１３のＸ電極Ｘ１，Ｘ２，．．．，Ｘｎ及びＹ電極Ｙ１，Ｙ２，．．．，Ｙｎに駆動信号を送出し、Ｘ電極Ｘ１，Ｘ２，．．．，Ｘｎ及びＹ電極Ｙ１，Ｙ２，．．．，Ｙｎの出力を検出することによって、アクティブ方式のペン先４０によるタッチと、パッシブ方式のタッチ（指や導電性パターン５４ａ、５４ｂ等のタッチ）とを識別して、その識別信号と共に、タッチされたＸ電極及びＹ電極の座標位置（Ｘ、Ｙ）をメインコントローラ１０２に出力する。
【００４４】
例えば、駆動検出部１０５は、アクティブ方式のペン先４０のタッチを検出した場合には、ペン入力モードを示す信号と、タッチされたＸ電極及びＹ電極の座標位置（Ｘ、Ｙ）をメインコントローラ１０２に出力する。他方、駆動検出部１０５は、パッシブ方式のタッチ（指や導電性パターン５４ａ、５４ｂ等のタッチ）を検出した場合には、パッシブモードを示す信号と、タッチされたＸ電極及びＹ電極の座標位置（Ｘ、Ｙ）をメインコントローラ１０２に出力する。
【００４５】
駆動検出部１０５では、例えば、アクティブ方式のペン先では、タッチペン２０のペン先４０により発生する所定周波数の交流電界の変化を検出することで、アクティブ方式のペンがタッチされたと判定することができる（容量固定、印加電圧変化）。他方、パッシブ方式のタッチ（指や導電性パターン５４ａ、５４ｂ等のタッチ）は、静電容量の変化を検出することでパッシブ方式のタッチを判定することができる（容量変化、印加電圧不変）。
【００４６】
メインコントローラ１０２は、ペン入力モードと、指入力モードと、イレースモード（イレース機能）とを実行する。メインコントローラ１０２は、駆動検出部１０５からパッシブモードを示す信号と検出された座標位置（Ｘ，Ｙ）が入力されると、検出された座標位置（Ｘ，Ｙ）が、所定距離Ｌ離間した２つの導体パターン５４ａ、５４ｂに対応したものであるか否かを判断し、所定距離Ｌ離間した２つの導体パターン５４ａ、５４ｂに対応したものではない場合には、指入力モードを実行し、所定距離Ｌ離間した２つの導体パターン５４ａ、５４ｂに対応したものである場合には、イレースモードを実行する。
【００４７】
ペン入力モードでは、メインコントローラ１０２は、駆動検出部１０５で検出した座標位置（Ｘ，Ｙ）に応じて、すなわち、ペン先４０の軌跡に応じてＶＲＡＭ１０６に表示情報を描画し、表示部１４には、表示情報が表示される。例えば、メインコントローラ１０２は、ペン先４０がタッチセンサ１３にタッチされた場合に、カーソルを表示し、ペン先４０をタッチセンサ１２で押下した場合に、描画（筆記）を開始することにしてもよい。
【００４８】
イレースモードでは、メインコントローラ１０２は、ＶＲＡＭ１０６に描画されている表示情報のうち、駆動検出部１０５で検出した座標位置（Ｘ，Ｙ）に応じて、すなわち、ペン後端部５０の端面５３の軌跡上のデータを消去する。ユーザは、タッチセンサ１３にペン後端部５０の端面５３をタッチさせて、タッチパネル１２上に表示されている描画情報をトレースすることで、描画情報をイレースすることができる。
【００４９】
つぎに、図７及び図８を参照して、タッチペン２０のペン後端部５０の導電性パターン５４ａ，５４ｂ間の距離Ｌ（上記図４参照）について説明する。図７及び図８は、Ｘ電極、Ｙ電極の間隔と、２つの導電性パターン５４ａ，５４ｂ間の距離Ｌとの関係を説明するための図である。図７及び図８において、Ｘ電極Ｘ１，Ｘ２，．．．，Ｘｎ間及びＹ電極Ｙ１，Ｙ２，．．．，Ｙｎ間の間隔をＰとしている。図７は、２つの導電性パターン５４ａ，５４ｂ間の距離Ｌ＜２Ｐとした場合を示している。図８は、２つの導電性パターン５４ａ，５４ｂ間の距離Ｌ≧２Ｐとした場合を示している。
【００５０】
２つの導電性パターン５４ａ，５４ｂ間の距離Ｌは大きいほどタッチセンサ１３で２つのパターンであることを高精度に検出できるため、距離Ｌを大きくするのが望ましい。他方、タッチペン２０のペン後端部５０の太さの関係で距離Ｌの大きさには制限がある。
【００５１】
図７において、２つの導電性パターン５４ａ，５４ｂ間の距離Ｌ＜２Ｐとすると、２つのパターンであること検出できない可能性がある。例えば、Ｘ電極Ｘ３では、導電性パターン５４ａ、５４ｂの両方が重畳したものが検出されるため、２つのパターンを検出できない場合がある（例えば、指のタッチと区別できない）。
【００５２】
他方、図８において、２つの導電性パターン５４ａ，５４ｂ間の距離Ｌ≧２Ｐとすると、例えば、Ｘ電極Ｘ２，Ｘ３，Ｘ４，Ｘ５では、導電性パターン５４ａ、５４ｂの両方が重畳したものが検出されないため、２つのパターンを検出することができる。そのため、２つの導電性パターン５４ａ，５４ｂ間の距離Ｌ≧２Ｐとすることが望ましい。
【００５３】
（変形例１）
図９は、タッチペンシステム１の変形例を説明するための図である。メインコントローラ１０２は、タッチセンサ１３において、２つのパターンがそのパターン間の距離Ｌを維持したまま、所定距離Ｓの移動を検出した場合に、イレースを開始することにしてもよい。これにより、ユーザの意図に反して、間隔Ｌで２つの導電体をタッチしてしまった場合にイレースモードとなることを防止でき、イレースモードに移行するための精度を向上させることが可能となる。
【００５４】
（変形例２）
図１０は、タッチペン２０の変形例を説明するための図である。２つの導電性パターン５４ａ，５４ｂ間の距離Ｌは大きいほどタッチセンサ１３で２つのパターンであることを高精度に検出できる。そこで、例えば、図１０に示すように、タッチペン２０のペン後端部５０の端面５３を斜面状に形成してもよい。これにより、ペン後端部５０を太くすることなく、距離Ｌを大きくすることが可能となる。
【００５５】
（変形例３）
図１１及び図１２は、タッチペン２０の変形例を説明するための図である。タッチペン２０のペン後端部５０の端面５３に形成する導電性パターンは、図４等に示す２つの導電性パターン５４ａ、５４ｂに限られるものではなく、例えば、他の形状の導電性パターンとしてもよく、また、形成する導電性パターンの数を３つ以上としてもよい。例えば、図１１に示すように、ドーナッツ状の導電性パターン５４としてもよい。また、図１２に示すように、Ｌ字状の導電性パターン５４としてもよい。
【００５６】
以上説明したように、本実施の形態のタッチペンシステム１によれば、静電容量型のタッチパネル１２と、タッチパネル１２上の任意の位置を指示するためのペン先４０及び所定の導電性パターンが形成されたペン後端部５０を有するタッチペン２０と、タッチパネル１２に対する所定の導電性パターンの接触を検出し、所定の導電性パターンを検出した場合に、イレース機能を実行する駆動検出部１０５及びメインコントローラ１０２とを備えているので、イレース機能を搭載する場合に、コンパクトかつ低コストな構成でタッチペンを構成することが可能となる。
【００５７】
また、本実施の形態によれば、所定の導電性パターンは、互いに所定の距離だけ離間した複数の導電性パターン５４ａ、５４ｂとしたので、高精度に所定の導電性パターンを検出することが可能となる。
【００５８】
また、本発明の形態によれば、導電性パターン５４ａ、５４ｂ間の距離を所定の距離Ｌ、タッチパネル１２の電極間の距離をＰとした場合、所定の距離Ｌ≧２Ｐとしたので、より高精度に所定の導電性パターンを検出することが可能となる。
【００５９】
また、本発明の形態によれば、ペン後端部５０は、斜面形状の端面５３を有し、導電性パターン５４ａ、５４ｂを、斜面形状の端面５３に形成することとしたので、ペン後端部５０を太くすることなく、導電性パターン５４ａ、５４ｂ間の距離Ｌを大きくすることが可能となる。
【００６０】
また、本発明の形態によれば、メインコントローラ１０２は、複数の導電性パターンが所定の間隔Ｌを維持した状態で所定距離Ｓ移動するのを検出した場合に、イレース機能を実行することとしたので、ユーザの意図に反してイレース機能が実行されるのを防止することが可能となる。
【００６１】
なお、本実施の形態では、ペン入力（ペン先４０）をアクティブ方式としているが、パッシブ方式を使用することにしてもよい。  
【符号の説明】
【００６２】
１  タッチペンシステム
１０  タブレット型コンピュータ
１１  筐体
１２  タッチパネル
１３  タッチセンサ  
１４  表示部
２０  タッチペン
２１  ペン本体部
２２  基板
２３  ホルダー
２３ｂ  スプリング
３０  ペン本体
３２  バッテリ
３３  トランスデューサー
３４  コントロールＩＣ
３５  圧力検出部
４０  ペン先
５０  ペン後端部
５２  キャップ部
５３  端面
５４ａ、５４ｂ  導電性パターン
１０１  メモリ
１０２  メインコントローラ
１０３  ストレージ
１０４  Ｉ／Ｆ
１０５  駆動検出部
１０６  ＶＲＡＭ
１０７  電源回路
１０８  通信デバイス
【図１】
2016167239.tif 000003
【図２】
2016167239.tif 000004
【図３】
2016167239.tif 000005
【図４】
2016167239.tif 000006
【図５】
2016167239.tif 000007
【図６】
2016167239.tif 000008
【図７】
2016167239.tif 000009
【図８】
2016167239.tif 000010
【図９】
2016167239.tif 000011
【図１０】
2016167239.tif 000012
【図１１】
2016167239.tif 000013
【図１２】
2016167239.tif 000014